(57)【要約】【課題】  消費者に対して、書籍のページ単位での販売が可能、また、書籍を部分販売するためのシステムにおける運用コストを低下せせることが可能な書籍販売システムを提供する。【解決手段】  書籍を部分的に販売する書籍販売システムであって、書籍の紙面の一部をデジタル情報として読み取る情報読み取り手段と、書籍のページ毎の販売価格が予め記憶された価格データベースと、デジタル情報から、書籍の販売対象ページを特定する書籍特定手段と、価格データベースを参照して、販売対象ページの販売価格を取得する価格取得手段と、販売価格の決済を行う課金手段と、課金手段により販売価格の決済が終了した時点で、情報読み取り手段により読み取ったデジタル情報に基づいて、販売対象ページを出力する出力手段とを備える。【選択図】    図１
2005135175.tif 000002
【特許請求の範囲】
【請求項１】
書籍を部分的に販売する書籍販売システムであって、
書籍の紙面の一部をデジタル情報として読み取る情報読み取り手段と、
書籍のページ毎の販売価格が予め記憶された価格データベースと、
前記デジタル情報から、書籍の販売対象ページを特定する書籍特定手段と、
前記価格データベースを参照して、前記販売対象ページの販売価格を取得する価格取得手段と、
前記販売価格の決済を行う課金手段と、
前記課金手段により販売価格の決済が終了した時点で、前記情報読み取り手段により読み取ったデジタル情報に基づいて、前記販売対象ページを出力する出力手段と
を備えたことを特徴とする書籍販売システム。
【請求項２】
前記書籍特定手段は、書籍の該当ページに印刷したバーコード、または、文字列を読み取ることによって書籍の販売対象ページを特定することを特徴とする請求項１に記載の書籍販売システム。
【請求項３】
書籍を部分的に販売するために書籍のページ毎の販売価格が予め記憶された価格データベースを備えた書籍販売システムにおける書籍販売方法であって、
書籍の紙面の一部をデジタル情報として読み取る情報読み取り過程と、
前記デジタル情報から、書籍の販売対象ページを特定する書籍特定過程と、
前記価格データベースを参照して、前記販売対象ページの販売価格を取得する価格取得過程と、
前記販売価格の決済を行う課金過程と、
前記課金過程により販売価格の決済が終了した時点で、前記情報読み取り過程により読み取ったデジタル情報に基づいて、前記販売対象ページを出力する出力過程と
を有することを特徴とする書籍販売方法。
【請求項４】
前記書籍特定過程は、書籍の該当ページに印刷したバーコード、または、文字列を読み取ることによって書籍の販売対象ページを特定することを特徴とする請求項３に記載の書籍販売方法。
【請求項５】
書籍を部分的に販売するために書籍のページ毎の販売価格が予め記憶された価格データベースを備えた書籍販売システムにおいて動作する書籍販売プログラムであって、
書籍の紙面の一部をデジタル情報として読み取る情報読み取り処理と、
前記デジタル情報から、書籍の販売対象ページを特定する書籍特定処理と、
前記価格データベースを参照して、前記販売対象ページの販売価格を取得する価格取得処理と、
前記販売価格の決済を行う課金処理と、
前記課金処理により販売価格の決済が終了した時点で、前記情報読み取り処理により読み取ったデジタル情報に基づいて、前記販売対象ページを出力する出力処理と
をコンピュータに行わせることを特徴とする書籍販売プログラム。
【請求項６】
前記書籍特定処理は、書籍の該当ページに印刷したバーコード、または、文字列を読み取ることによって書籍の販売対象ページを特定することを特徴とする請求項５に記載の書籍販売プログラム。
【発明の詳細な説明】
【技術分野】
【０００１】
本発明は、書籍を販売する書籍販売システムに関する。
【背景技術】
【０００２】
一般に、雑誌等の書籍では、多種多様な記事が記載されており、各消費者の嗜好にすべての記事を合わせることは困難である。このような書籍において、従来の書籍販売では、消費者は、書籍の一部を購入したい場合であっても、１冊全体を購入する必要がある。この問題を解決するために、書籍の部分販売を可能にする書籍販売システムが提案されている。例えば、特許文献１に記載の書籍販売システムでは、電子化した著作物データと店舗におかれた印字手段を組み合わせて、消費者が購入する書籍を指定することにより、書籍の一部を販売できる。また、特許文献２に記載のコンテンツ販売装置でも、書籍データを格納したデータベースとネットワークとユーザ端末を組み合わせ、電子化された書籍データのページ単位での販売を可能にしている。
【特許文献１】特開２００１−３５０９８０号公報
【特許文献２】特開２００２−０９９７３８号公報
【発明の開示】
【発明が解決しようとする課題】
【０００３】
しかしながら、特許文献１、２に記載の装置においては、従来からの問題である、書籍の一部を消費者が購入することは可能になるが、システム管理側にとって、膨大な書籍データを電子化、また、電子化した書籍データの管理をする必要があり、システム維持していくための運用コストが増大するという問題がある。そのため、市場で普及するまでにはいたっていない。
【０００４】
本発明は、このような事情に鑑みてなされたもので、消費者に対して、書籍のページ単位での販売が可能、また、書籍を部分販売するためのシステムにおける運用コストを低下せせることが可能な書籍販売システムを提供することを目的とする。
【課題を解決するための手段】
【０００５】
請求項１に記載の発明は、書籍を部分的に販売する書籍販売システムであって、書籍の紙面の一部をデジタル情報として読み取る情報読み取り手段と、書籍のページ毎の販売価格が予め記憶された価格データベースと、前記デジタル情報から、書籍の販売対象ページを特定する書籍特定手段と、前記価格データベースを参照して、前記販売対象ページの販売価格を取得する価格取得手段と、前記販売価格の決済を行う課金手段と、前記課金手段により販売価格の決済が終了した時点で、前記情報読み取り手段により読み取ったデジタル情報に基づいて、前記販売対象ページを出力する出力手段とを備えたことを特徴とする。
【０００６】
請求項２に記載の発明は、前記書籍特定手段は、書籍の該当ページに印刷したバーコード、または、文字列を読み取ることによって書籍の販売対象ページを特定することを特徴とする。
【０００７】
請求項３に記載の発明は、書籍を部分的に販売するために書籍のページ毎の販売価格が予め記憶された価格データベースを備えた書籍販売システムにおける書籍販売方法であって、書籍の紙面の一部をデジタル情報として読み取る情報読み取り過程と、前記デジタル情報から、書籍の販売対象ページを特定する書籍特定過程と、前記価格データベースを参照して、前記販売対象ページの販売価格を取得する価格取得過程と、前記販売価格の決済を行う課金過程と、前記課金過程により販売価格の決済が終了した時点で、前記情報読み取り過程により読み取ったデジタル情報に基づいて、前記販売対象ページを出力する出力過程とを有することを特徴とする。
【０００８】
請求項４に記載の発明は、前記書籍特定過程は、書籍の該当ページに印刷したバーコード、または、文字列を読み取ることによって書籍の販売対象ページを特定することを特徴とする。
【０００９】
請求項５に記載の発明は、書籍を部分的に販売するために書籍のページ毎の販売価格が予め記憶された価格データベースを備えた書籍販売システムにおいて動作する書籍販売プログラムであって、書籍の紙面の一部をデジタル情報として読み取る情報読み取り処理と、前記デジタル情報から、書籍の販売対象ページを特定する書籍特定処理と、前記価格データベースを参照して、前記販売対象ページの販売価格を取得する価格取得処理と、前記販売価格の決済を行う課金処理と、前記課金処理により販売価格の決済が終了した時点で、前記情報読み取り処理により読み取ったデジタル情報に基づいて、前記販売対象ページを出力する出力処理とをコンピュータに行わせることを特徴とする。
【００１０】
請求項６に記載の発明は、前記書籍特定処理は、書籍の該当ページに印刷したバーコード、または、文字列を読み取ることによって書籍の販売対象ページを特定することを特徴とする。
【発明の効果】
【００１１】
この発明によれば、消費者は、書籍をページ単位で購入可能となる。また、書籍を部分販売するためのシステムにおける運用コストを大幅に低下することが可能であるという効果が得られる。
【発明を実施するための最良の形態】
【００１２】
以下、本発明の一実施形態による書籍販売システムを図面を参照して説明する。図１は同実施形態の構成を示すブロック図であり、決済手段としてオンライン上での決済を適用した場合の構成である。書籍販売システムは、情報読み取り手段であるスキャナ１、価格算出と課金処理を行う購入端末２、情報出力手段であるプリンタ３、価格データベースサーバ４、課金サーバ５から構成される。課金サーバ５、価格データベースサーバ４については、ネットワーク６を経由して接続されていれば、書籍を購入する店舗に設置されていなくてもよい。
【００１３】
次に、図１に示すシステムの動作を説明する。消費者は、購入したい書籍のページをスキャナ１を利用し電子化する（図１（１））。購入端末２は電子化された該当ページデータから、書籍とページを特定し（図１（２））、価格データベースサーバ４ヘ該当ページの価格を問い合わせる（図１（３））。該当ページの価格が明らかになった後、購入端末２は、価格を表示する（図１（４））。消費者が価格を妥当と考えると決済処理に進み、課金サーバ５との間で決済処理を行う（図１（５））。決済処理が完了後、該当ページをプリンタ３より出力する（図１（６））。これにより、消費者は書籍をページ単位で購入できる。
【００１４】
次に、他の実施形態を説明する。図２は、決済処理に現金を用いた場合であり、購入端末２ａとして、現金の授受が可能な課金機能つきのコピー機を利用した場合である。図３は、図２に示す購入端末２ａの構成を示すブロック図である。購入端末２ａは、書籍のページを読み取るスキャナ部２１、書籍とページの特定、価格問い合わせ、課金処理を行う中央処理部２２、書籍ページを印刷する印刷部２３、ネットワークと接続するネットワークインタフェース２４、消費者と現金の授受を行う課金インタフェース２５、読み取った書籍情報を蓄積する記億部２６から構成される。
【００１５】
次に、図２、３に示すシステムの動作を説明する。まず、スキャナ部２１において書籍の該当ページを読み取ると読み取ったデータは記億部２６で一時保存する（図２（１））。中央処理部２２は、記億部２６で保存したデータから書籍とページを特定し（図２（２））、ネットワークインタフェース２４からＴＣＰ／ＩＰなどのプロトコルを利用して価格データベースサーバ４ヘ該当ページの価格を問い合わせる（図２（３））。該当ページの価格が明らかになった後、その価格を課金インタフェース２５を介して、消費者へ通知する（図２（４））。消費者が課金インタフェース２５ヘ現金の投入を行ったことを中央処理部が判断すると（図２（５））、記億部２６に保存したデータを印別部２３へ出力し、該当ページの出力を行う（図２（６））。これにより、消費者は書籍をページ単位で購入できる。
【００１６】
次に、ページの特定方法を説明する。書籍ページの特定の領域に、書籍を特定するための情報（例えば、ＩＳＢＮ：International Standard Book Number）を印刷しておく。これを、購入端末で画像処理または文字認識を用いて認識することで書籍を特定する。バーコード情報を用いた場合は、画像認識で、文字列を用いた場合は、文字認識技術を利用して認識可能である。図４に書籍を特定するための情報の印刷例を示す。書籍の右ページならば右上、左ページならば左下の対称な場所に情報を印刷する。スキャナ部２１でページを読み取る場合、右ページならば、右上をスキャン面の基準点と、左ページならば、左下をスキャン面の基準点と合わせて読み取ることにより、購入端末では、特定の範囲を認識するだけで、書籍の特定が可能となる。この方法により、ユーザが書籍情報を入力することなく、システム側で該当書籍を特定することが可能となる。
【００１７】
なお、書籍の特定は、消費者が購入端末へ情報の入力する方法や、購入端末が自動的に書籍を認識するようにしてもよい。また、各ページにページ番号を特定可能なコードを印刷しておき、書籍名とページ番号を合わせて特定するようにしてもよい。
【００１８】
次に、図５を参照して、価格データベースサーバ４内の価格データベースのテーブル構造を説明する。図５は、書籍の特定をＩＳＢＮで行う場合の例である。価格データベースは、「ＩＳＢＮ」、「書籍名」、「ページ」、「単価」のフィールドを有している。このＩＳＢＮにより、書籍名を特定できるともに、該当ページ読み取り時にページ番号を特定できれば、ページ単位で単価を変えることも可能になる。たとえば、広告とタイアップしているページは、安価にするといったことが可能になる。
【００１９】
このように、購入したい書籍をその場で、電子化、または、コピーするために事前に書籍データを電子化する必要はなく、また部分購入されない書籍についても電子化する必要がなく、システム運用側では、事前に、書籍の価格を価格データベースヘ投入すればよいだけである。このため、従来の書籍を部分販売可能なシステムとくらべ大幅な運用コストの低下が可能となる。
【００２０】
なお、図１、２、３における各処理部の機能を実現するためのプログラムをコンピュータ読み取り可能な記録媒体に記録して、この記録媒体に記録されたプログラムをコンピュータシステムに読み込ませ、実行することにより書籍販売処理を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２２】
【図１】本発明の一実施形態の構成を示すブロック図である。
【図２】他の実施形態の構成を示すブロック図である。
【図３】図２に示す購入端末２ａの構成を示すブロック図である。
【図４】書籍のページの特定方法を示す説明図である。
【図５】価格データベースのテーブル構造を示す説明図である。
【符号の説明】
【００２３】
１・・・スキャナ
２・・・購入端末
２１・・・スキャナ部
２２・・・中央処理部
２３・・・印刷部
２４・・・ネットワークインタフェース
２５・・・課金インタフェース
２６・・・記憶部
３・・・プリンタ
４・・・価格データベースサーバ
５・・・課金サーバ
６・・・ネットワーク
【図１】
2005135175.tif 000003
【図２】
2005135175.tif 000004
【図３】
2005135175.tif 000005
【図４】
2005135175.tif 000006
【図５】
2005135175.tif 000007